(57)【特許請求の範囲】
【請求項１】
ＭＡＣ処理部がゲートウェイによりグループＩＤ（Ｇｒｏｕｐ  ＩＤ）を含むフレームを獲得する段階と、
前記フレームがウェイクアップフレームである場合、前記フレームに含まれるウェイクアップ変数と前記ＭＡＣ処理部のウェイクアップ変数を比較し、一致しない場合、前記ＭＡＣ処理部のウェイクアップ変数を前記フレームに含まれるウェイクアップ変数に更新する段階と、
前記ウェイクアップフレームに含まれるグループＩＤと前記ＭＡＣ処理部のグループＩＤを比較し、一致する場合、中央処理部をウェイクアップする段階と、を含む、ＥＳＬ端末の制御方法。
【請求項２】
前記フレームがウェイクアップフレームである場合、前記フレームに含まれるウェイクアップ変数と前記ＭＡＣ処理部のウェイクアップ変数を比較する段階は、前記フレームに含まれるウェイクアップ変数と前記ＭＡＣ処理部のウェイクアップ変数が一致しない場合、前記ＭＡＣ処理部のウェイクアップ変数を前記フレームに含まれるウェイクアップ変数に更新し、前記フレームに含まれるウェイクアップ変数と前記ＭＡＣ処理部のウェイクアップ変数が一致する場合、前記ＭＡＣ処理部をスリープ状態に転換する、請求項１に記載のＥＳＬ端末の制御方法。
【請求項３】
前記フレームがウェイクアップフレームではない場合、前記ＭＡＣ処理部をスリープ状態に転換する段階、を更に含む、請求項１または２に記載のＥＳＬ端末の制御方法。
【請求項４】
前記ウェイクアップフレームに含まれるグループＩＤと前記ＭＡＣ処理部のグループＩＤを比較する段階は、
前記ウェイクアップフレームに含まれるグループＩＤが前記ＭＡＣ処理部のグループＩＤと相違する場合、前記ＭＡＣ処理部の失敗変数を増加させる段階と、
前記失敗変数と許容失敗情報を比較する段階と、を含む、請求項１から３の何れか１項に記載のＥＳＬ端末の制御方法。
【請求項５】
前記失敗変数と許容失敗情報を比較する段階は、
前記失敗変数が前記許容失敗情報より小さい場合、前記ＭＡＣ処理部をスリープ状態に転換する、請求項４に記載のＥＳＬ端末の制御方法。
【請求項６】
前記失敗変数と許容失敗情報を比較する段階は、
前記失敗変数が前記許容失敗情報より大きい場合、強制ウェイクアップ変数をトゥルー（ｔｒｕｅ）に設定し、前記中央処理部をウェイクアップする、請求項４または５に記載のＥＳＬ端末の制御方法。
【請求項７】
強制ウェイクアップ変数の設定値に基づいてウェイクアップフレームをリード（ｒｅａｄ）する段階をさらに含む、請求項１から６の何れか１項に記載のＥＳＬ端末の制御方法。
【請求項８】
ゲートウェイによりグループＩＤ（Ｇｒｏｕｐ  ＩＤ）を含むフレームを受信する無線通信部と、
ＭＡＣ処理部であって、受信した前記フレームがウェイクアップフレームである場合、前記ＭＡＣ処理部のウェイクアップ変数と前記フレームに含まれるウェイクアップ変数を比較し、一致しない場合、前記ＭＡＣ処理部のウェイクアップ変数を前記フレームに含まれるウェイクアップ変数に更新するＭＡＣ処理部と、
前記ウェイクアップフレームに含まれるグループＩＤと前記ＭＡＣ処理部のグループＩＤを比較し、一致する場合、ウェイクアップする中央処理部と、を含む、ＥＳＬ端末。
【請求項９】
前記ＭＡＣ処理部は、
前記ウェイクアップフレームに含まれるグループＩＤが前記ＭＡＣ処理部のグループＩＤと相違する場合、前記ＭＡＣ処理部の失敗変数を増加させ、前記失敗変数と許容失敗情報を比較する、請求項８に記載のＥＳＬ端末。
【請求項１０】
前記ＭＡＣ処理部は、
前記失敗変数が前記許容失敗情報より小さい場合、スリープ状態に転換される、請求項９に記載のＥＳＬ端末。
【請求項１１】
前記ＭＡＣ処理部は、
前記失敗変数が前記許容失敗情報より大きい場合、強制ウェイクアップ変数をトゥルー（ｔｒｕｅ）に設定し、前記中央処理部をウェイクアップする、請求項９または１０に記載のＥＳＬ端末。
【発明の詳細な説明】
【技術分野】
【０００１】
本発明は、ＥＳＬ端末及びその制御方法に関する。
【背景技術】
【０００２】
一般に、売り場では、棚に陳列されている商品に対する販売価格や割引情報、単価、原産地などのような商品情報を示す紙ラベルが用いられている。このような紙ラベルが用いられた価格表示方式は、商品情報が変更されたり、商品の陳列位置が変更される場合、使用されていた紙ラベルを廃棄し、新しい紙ラベルを作成しなければならないため、維持保守に持続的な費用が発生する。さらに、環境的な側面においても、原資材である紙を浪費するようになって環境保護に否定的な影響を及ぼす。
【０００３】
これにより、従来の紙ラベルを代替するための手段として、電子価格表示機（または電子棚札（ＥＳＬ、Ｅｌｅｃｔｒｏｎｉｃ  Ｓｈｅｌｆ  Ｌａｂｅｌ））に対する研究及び開発が積極的に行われている。
【０００４】
上記電子価格表示機は、売り場の棚に配置されて多様な価格情報をＬＣＤのようなディスプレイ手段を通じて示し、陳列されている商品の情報が変更されたり、商品の陳列位置が変更される場合、新しい商品情報の入力を受けて、示される商品の情報をアップデートすることにより、繰り返し使用できるという長所がある。
【０００５】
一方、電子価格表示機に用いられるＥＳＬタグ（Ｔａｇ）は、バッテリーによって駆動されるため、端末の電力消耗を減らすことが製品の市場競争力を決定する重要要素になる。
【０００６】
下記先行技術文献に記載された特許文献１は、電子価格表示機（ＥＳＬ、Ｅｌｅｃｔｒｏｎｉｃ  Ｓｈｅｌｆ  ｌａｂｅｌ）の商品情報などをリアルタイムでアップデートすることができるＲＦＩＤ方式が用いられたＥＳＬ端末とシステム及びその方法に関するもので、ＥＳＬ端末の電力消耗を減らすための構成は開示していない。
【先行技術文献】
【特許文献】
【０００７】
【特許文献１】韓国公開特許  第２０１０−０１２８９０６号
【発明の概要】
【発明が解決しようとする課題】
【０００８】
本発明は、電力消耗を減らすことができるＥＳＬ端末及びその制御方法を提供する。
【０００９】
また、本発明は、異常有無を周期的に確認できるＥＳＬ端末及びその制御方法を提供する。
【課題を解決するための手段】
【００１０】
本発明の一様相によるＥＳＬ端末の制御方法は、ＭＡＣ処理部がゲートウェイによりフレームを獲得する段階と、ウェイクアップフレームであるか否かを判断し、ＭＡＣ処理部のウェイクアップ変数を更新する段階と、上記ウェイクアップフレームのグループＩＤ（Ｇｒｏｕｐ  ＩＤ）に基づいて中央処理部をウェイクアップする段階と、を含むことができる。
【００１１】
上記ウェイクアップ変数を更新する段階は、ＭＡＣ処理部が受信したフレームがウェイクアップフレームである場合、上記ウェイクアップフレームのウェイクアップ変数とＭＡＣ処理部のウェイクアップ変数を比較する段階を含むことができる。
【００１２】
上記ウェイクアップ変数を更新する段階は、ＭＡＣ処理部が受信したフレームがウェイクアップフレームではない場合、ＭＡＣ処理部がスリープ状態に転換されることができる。
【００１３】
上記ウェイクアップフレームのグループＩＤ（Ｇｒｏｕｐ  ＩＤ）に基づいて中央処理部をウェイクアップする段階は、ウェイクアップフレームのグループＩＤ（Ｇｒｏｕｐ  ＩＤ）がＭＡＣ処理部のＩＤと相違する場合、ＭＡＣ処理部の失敗変数を増加させる段階と、上記失敗変数と許容失敗情報を比較する段階と、を含むことができる。
【００１４】
上記失敗変数が上記許容失敗情報より小さい場合、ＭＡＣ処理部をスリープ状態に転換することができる。
【００１５】
上記失敗変数が上記許容失敗情報より大きい場合、強制ウェイクアップ変数をトゥルー（ｔｒｕｅ）に設定し、中央処理部をウェイクアップすることができる。
【００１６】
上記ＥＳＬ端末の制御方法は、強制ウェイクアップ変数の設定値に基づいてウェイクアップフレームをリード（ｒｅａｄ）する段階をさらに含むことができる。
【００１７】
本発明の一様相によるＥＳＬ端末は、ゲートウェイにより所定のフレームを受信する無線通信部と、受信した上記フレームがウェイクアップフレームであるか否かを判断し、ウェイクアップ変数を更新するＭＡＣ処理部と、上記ウェイクアップフレームのグループＩＤ（Ｇｒｏｕｐ  ＩＤ）に基づいてウェイクアップする中央処理部と、を含むことができる。
【００１８】
上記ＭＡＣ処理部は、ウェイクアップフレームのグループＩＤ（Ｇｒｏｕｐ  ＩＤ）がＭＡＣ処理部のＩＤと相違する場合、ＭＡＣ処理部の失敗変数を増加させ、上記失敗変数と許容失敗情報を比較することができる。
【００１９】
上記ＭＡＣ処理部は、上記失敗変数が上記許容失敗情報より小さい場合、スリープ状態に転換することができる。
【００２０】
上記ＭＡＣ処理部は、上記失敗変数が上記許容失敗情報より大きい場合、強制ウェイクアップ変数をトゥルー（ｔｒｕｅ）に設定し、中央処理部をウェイクアップすることができる。
【発明の効果】
【００２１】
本明細書の開示により、電力消耗を減らすことができるＥＳＬ端末及びその制御方法を提供することができる。
【００２２】
また、本明細書の開示により、異常有無を周期的に確認できるＥＳＬ端末及びその制御方法を提供することができる。
【図面の簡単な説明】
【００２３】
【図１】本発明の一実施形態による電子価格表示システムのブロック構成図である。
【図２】本発明の一実施形態による電子価格表示システムが実際に売り場に適用された形状を示した図面である。
【図３】本明細書に開示された一実施例によるＥＳＬ端末を示したブロック図である。
【図４】本発明の一実施形態によるＥＳＬ端末の制御流れ図を示した図面である。
【図５】本発明の一実施形態において、ウェイクアップフレームであるか否かを判断する段階を示した図面である。
【図６】本発明の一実施例において、ウェイクアップするか否かを判断する段階を示した流れ図である。
【図７】中央処理部がウェイクアップの後に行う段階を示した流れ図である。
【発明を実施するための形態】
【００２４】
以下では、添付の図面を参照し、本発明の好ましい実施例について説明する。しかし、図面符号に係わらず、同一または類似した構成要素には同一の参照番号を与え、これに重複する説明は省略する。以下の説明において用いられる構成要素に対する接尾語「モジュール」及び「部」は明細書を容易に作成するために考慮されて与えられたり、混用されたもので、これ自体が区別される意味または役割を有するものではない。また、本明細書に開示された実施例を説明するにあたり、関連の公知機能に対する具体的な説明が本発明の要旨を不要にすることができると判断される場合には、その詳細な説明を省略する。なお、添付された図面は、本明細書に開示された実施例を容易に理解できるようにするためのもので、添付された図面によって本明細書に開示された技術的思想が制限されると理解されてはいけない。
【００２５】
図１は本発明の一実施形態による電子価格表示システムのブロック構成図である。
【００２６】
図１に示されているように、本発明の一実施形態による電子価格表示システムは、管理サーバー部１００、インタフェース部２００、ゲートウェイ部４００及びＥＳＬタグ部５００を含んで構成されることができる。
【００２７】
上記管理サーバー部１００は、売り場に陳列される商品に対する商品情報を保存及び管理するデータベースのサーバーによって具現されることができる。上記管理サーバー部は、商品情報を保存するのみならず、売り場を運用するのに求められる多様な情報を保存することができる。また、上記管理サーバー部１００は、ＥＳＬ端末６００に示される商品情報の同期化、更新及び変更などのような多様な機能を行うための命令メッセージを作成し、管理することができる。このため、上記管理サーバー部１００は、ＥＳＬ端末６００と、それに示される商品情報に対するデータベースと、を含むことができる。即ち、ＥＳＬ端末６００に対する識別情報と該当するＥＳＬ端末に示される商品情報を相互連動して保存したデータベースを備えることができる。
【００２８】
上記インタフェース部２００は、上記管理サーバー部１００で発生する命令メッセージ（例えば、商品情報に対する更新メッセージ、商品情報変更メッセージ、管理情報取得メッセージなど）がリアルタイムでゲートウェイ部４００に伝送されるように管理サーバー部１００とゲートウェイ部４００との通信チャンネルを形成する機能を行うことができる。例えば、上記インタフェース部２００は、上記管理サーバー部１００で発生するメッセージを、ゲートウェイ部４００との通信に用いられる予め設定された通信方式によって適切なパケットに構成し、これを送信する機能を行うことができる。また、上記インタフェース部２００は、ゲートウェイ部４００から伝達される受信確認メッセージの入力を予め設定された通信方式によって受け、これを管理サーバー部１００が受信可能なメッセージに変換して伝達することで、後続動作の進行を可能にすることができる。
【００２９】
上記ゲートウェイ部４００は、上記管理サーバー部１００と通信する複数のゲートウェイ４１０を含んで構成されることができる。上記ゲートウェイ部４００のゲートウェイ４１０は、上記管理サーバー部１００から受信されたデータを分析することで、自身と通信するＥＳＬ端末６００に伝達するメッセージまたはデータが存在するかを確認し、確認されたメッセージまたはデータを該当するＥＳＬ端末６００に伝達する役割を行う。上記ゲートウェイ４１０は、上記ＥＳＬ端末６００に伝達するメッセージを予め設定された通信方式によってパケットに構成し、これをＥＳＬ端末６００に伝送することができる。また、上記ゲートウェイ４１０は、ＥＳＬ端末６００から受信される受信確認メッセージをサーバに伝達することができる。上記ゲートウェイ４１０と上記ＥＳＬ端末６００との通信方式としては、一つのゲートウェイ４１０を通じて多くの数のＥＳＬ端末６００が通信できるようにジグビー（Ｚｉｇｂｅｅ（登録商標）、即ち、ＩＥＥＥ  ８０２．１５．４）方式の無線通信方式が適用されることができる。
【００３０】
上記ＥＳＬタグ部５００は、上記ゲートウェイ４１０から受信した商品情報に対するデータをディスプレイに示し、データ受信による動作結果をゲートウェイ４１０に伝送する複数のＥＳＬ端末６００を含むことができる。一つのＥＳＬタグ部５００に含まれた複数のＥＳＬ端末６００は、一つのゲートウェイ４１０と通信することができる。上記の通り、一つのゲートウェイ４１０と複数のＥＳＬ端末６００との通信ができるようにジグビー方式の無線通信方式が適用されることができ、これをさらに効率的に具現するために、ゲートウェイとＥＳＬ端末との通信においてウェイクアップチャンネル及びデータチャンネルの２つのチャンネルに分離された通信運用が行われることができる。
【００３１】
上記ウェイクアップチャンネルは、受信するデータの有無を示したウェイクアップ信号（ウェイクアップフレーム）を伝送するための通信チャンネルを意味する。また、上記データチャンネルは、実際にディスプレイに用いられるデータを伝送するための通信チャンネルを意味する。
【００３２】
ＥＳＬタグ部５００は、外部からの常時電源供給が困難である環境に配置されるため、バッテリーを用いて電源を供給する。従って、一回のバッテリー交換で数年以上という長時間にわたり、使用できるようにするために電力消耗を最小限にすることが重要であり、このため、主にウェイクアップ方式を用いることで運用される。即ち、上記ＥＳＬ端末６００は、予め設定された時間を周期的にウェイクアップして自身が受信するデータがあるかを確認することができる。または、上記ＥＳＬ端末６００が外部インタラプト（ｉｎｔｅｒｒｕｐｔ）によってウェイクアップして自身が受信するデータがあるかを確認することができる。このとき、上記ＥＳＬ端末６００が受信するデータがないと確認された場合、スリープモードで動作して次のウェイクアップ周期まで電力消耗を最小限にする。即ち、上記ＥＳＬ端末６００が受信するデータがあると確認された場合のみに、所定の機能部に電力を供給してデータ受信及び処理されるように動作することができる。
【００３３】
本発明の他の実施形態は、使用者が直接に管理サーバー部１００と通信できる個人情報端末（ＰＤＡ）３００をさらに含むことができる。上記個人情報端末（ＰＤＡ）３００は、使用者の入力情報を管理サーバー部１００に伝達することができる。上記使用者の入力情報は、陳列される商品とこれに対する商品情報を示すＥＳＬ端末との同期化に関するものであることができる。または、現在示されている商品とこれに同期化されたＥＳＬ端末との非活性化のためのものであることもできる。
【００３４】
図２は本発明の一実施形態による電子価格表示システムが実際に売り場に適用された形状を示した図面である。
【００３５】
図２に示されているように、商品が陳列される棚には陳列された商品に対する商品情報を示すＥＳＬ端末６００が配置されることができ、ＥＳＬ端末６００は売り場内の一定位置に配置されるゲートウェイ４１０と通信しながら価格情報を変更したり、活性化または非活性化することができる。売り場管理者は、個人情報端末３００を利用して商品とＥＳＬ端末６００との同期化または情報修正などの指示を管理サーバー部に伝達することができる。
【００３６】
また、上記ゲートウェイ４１０は、所定のジグビーチャンネルを通じてＥＳＬ端末６００と連結されることができる。
【００３７】
以下では、上記のように構成される電子価格表示システムに適用されるＥＳＬ端末６００についてより詳細に説明する。
【００３８】
図３は本明細書に開示された一実施例によるＥＳＬ端末を示したブロック図である。
【００３９】
上記ＥＳＬ端末６００は、無線通信部６１０、ＭＡＣ処理部６２０、中央処理部６３０、メモリなどを含むことができる。図３に示された構成要素は必需的なものではなく、これより多くの構成要素または少ない構成要素を有するＥＳＬ端末が具現されることもできる。
【００４０】
上記無線通信部６１０は、ＥＳＬ端末とゲートウェイ４１０との無線通信を可能にするための機能を行う。例えば、上記無線通信部６１０は、上記ゲートウェイ４１０により商品情報に対する更新データを受信することができる。
【００４１】
上記商品情報に対する更新データは、ＥＳＬ端末が示す商品情報に対する更新有無や更新された価格などに対する情報を含むことができる。
【００４２】
上記ＭＡＣ処理部６２０及び中央処理部６３０は、無線通信部６１０が受信したデータの伝達を受けて分析及び処理することができる。
【００４３】
上記ＭＡＣ処理部６２０は、ＰＨＹ階層のデジタル処理が完了すると、伝送されたデータフレームの構造を解釈してフレームを承認し、エラーを感知して再伝送するか否かを決定することができる。
【００４４】
上記中央処理部６３０は、上記ＭＡＣ処理部６２０において処理されたデータを受信して分析及び処理することができる。
【００４５】
図４は本発明の一実施形態によるＥＳＬ端末の制御流れ図を示した図面である。
【００４６】
図４を参照すると、本発明の一実施例による無線通信部６１０は、ゲートウェイ４１０から所定のフレームを受信することができる（Ｓ４１０）。
【００４７】
上記フレームは、ウェイクアップフレームまたはデータフレームであることができる。
【００４８】
本発明の一実施例によると、上記ＭＡＣ処理部６２０は、上記無線通信部６１０が受信したフレームがウェイクアップフレームであるか否かを判断することができる（Ｓ４２０）。
【００４９】
図５は本発明の一実施形態において、ウェイクアップフレームであるか否かを判断する段階を示した図面である。
【００５０】
図５を参照すると、上記ＭＡＣ処理部６２０は、上記無線通信部６１０が受信したフレームがウェイクアップフレームであるか、またはデータフレームであるかを判断することができる（Ｓ５２１）。
【００５１】
上記ＭＡＣ処理部６２０が獲得したフレームがウェイクアップフレームではない場合、上記ＭＡＣ処理部はスリープ状態に転換されることができる（Ｓ５２３）。これは、上記フレームがウェイクアップフレームではない場合、上記ＥＳＬ端末がこれ以上動作を行わず、電力消耗を節減するためである。
【００５２】
上記ＭＡＣ処理部６２０が獲得したフレームがウェイクアップフレームである場合、上記ＭＡＣ処理部はフレームウェイクアップ変数とＭＡＣ処理部のウェイクアップ変数を比較することができる（Ｓ５２２）。上記ウェイクアップ変数は、ウェイクアップフレーム及びＭＡＣ処理部に含まれているメッセージを意味する。上記ウェイクアップ変数は、ウェイクアップの順序に対する情報を含むことができる。
【００５３】
上記フレームウェイクアップ変数と上記ＭＡＣ処理部のウェイクアップ変数が一致する場合、上記ＭＡＣ処理部は、スリープ状態に転換されることができる（Ｓ５２３）。
【００５４】
上記フレームウェイクアップ変数と上記ＭＡＣ処理部のウェイクアップ変数が一致しない場合、上記ＭＡＣ処理部は、ＭＡＣ処理部のウェイクアップ変数を更新することができる（Ｓ５３０）。例えば、上記フレームウェイクアップ変数がＭＡＣ処理部のウェイクアップ変数に設定されることができる。
【００５５】
上記のような方式により、上記ＭＡＣ処理部は、受信したフレームがウェイクアップフレームであるか否かを判断し、ウェイクアップ変数を更新することができる。
【００５６】
図４を参照すると、本発明の一実施例によるＭＡＣ処理部は、上記ウェイクアップフレームのグループＩＤ（Ｇｒｏｕｐ  ＩＤ）に基づいて中央処理部がウェイクアップするか否かを判断することができる（Ｓ４４０）。
【００５７】
上記グループＩＤは、フレームに含まれている情報であり、ウェイクアップされる端末の固有情報を含む。
【００５８】
即ち、上記グループＩＤと一致する固有情報を含むＥＳＬ端末がウェイクアップされなければならない。
【００５９】
従って、本発明の一実施例によると、ＭＡＣ処理部は、受信したフレームのグループＩＤとＥＳＬ端末のグループＩＤを比較することができる。また、上記フレームのグループＩＤとＥＳＬ端末のグループＩＤが一致する場合、上記ＭＡＣ処理部は中央処理部をウェイクアップさせることができる。
【００６０】
このように、本発明の一実施例によるＥＳＬ端末は、ウェイクアップフレームのグループＩＤがＥＳＬ端末のグループＩＤと一致する場合のみ、中央処理部をウェイクアップすることで、低電力のＥＳＬ端末を具現することができる。
【００６１】
図６は本発明の一実施例において、ウェイクアップするか否かを判断する段階を示した流れ図である。
【００６２】
ここでは、上記フレームのグループＩＤとＥＳＬ端末のグループＩＤが一致しない場合の手順を示している。
【００６３】
図６において、上記ＭＡＣ処理部６２０は、失敗変数を増加させることができる（Ｓ６１０）。上記失敗変数は、フレームのグループＩＤとＥＳＬ端末のグループＩＤが一致しない回数を示す情報である。上記ＭＡＣ処理部６２０は、失敗変数を保存することができる。
【００６４】
例えば、上記ＭＡＣ処理部は、ＥＳＬ端末のグループＩＤと受信したフレームのグループＩＤが一致しない場合、失敗変数を一つ増加させることができる。
【００６５】
本発明の一実施例によると、上記ＭＡＣ処理部は、失敗変数と許容失敗情報を比較することができる（Ｓ６２０）。
【００６６】
上記許容失敗情報は、ＥＳＬ端末の中央処理部を強制ウェイクアップするための基準を設定したデータである。上記許容失敗情報は、予め設定されたデータであることができる。
【００６７】
例えば、上記許容失敗情報に設定された回数が上記ＭＡＣ処理部の失敗変数より大きい場合、上記ＭＡＣ処理部は、スリープ状態に転換されることができる（Ｓ６３０）。
【００６８】
しかし、上記許容失敗情報に設定された回数より上記ＭＡＣ処理部の失敗変数が大きい場合、上記ＭＡＣ処理部は、強制ウェイクアップ変数をトゥルー（ｔｒｕｅ）に設定し、中央処理部をウェイクアップさせることができる。
【００６９】
上記強制ウェイクアップ変数は、上記ＥＳＬ端末を強制ウェイクアップさせるか否かを示すことができる。例えば、上記強制ウェイクアップ変数がトゥルー（ｔｒｕｅ）に設定されている場合、上記中央処理部６３０は強制ウェイクアップされることができる。
【００７０】
本発明の一実施例によると、上記ＥＳＬ端末が予め設定された回数以上、他のグループＩＤを含むフレームを受信する場合、中央処理部６３０を強制ウェイクアップしてＥＳＬ端末の異常有無を判断することができる。
【００７１】
図７は中央処理部がウェイクアップの後に行う段階を示した流れ図である。
【００７２】
本発明の一実施例によると、上記中央処理部は、先述の一連の過程によってウェイクアップすることができる（Ｓ７１０）。
【００７３】
本発明の一実施例によると、上記中央処理部は、強制ウェイクアップさせるか否かを確認することができる（Ｓ７２０）。例えば、上記中央処理部は、上記強制ウェイクアップ変数の値を確認することができる。上記強制ウェイクアップ変数の値がトゥルー（ｔｒｕｅ）に設定された場合、上記中央処理部は強制ウェイクアップ状態である。
【００７４】
上記強制ウェイクアップ変数の値がトゥルー（ｔｒｕｅ）に設定された場合、上記中央処理部は、ウェイクアップフレームを削除し、ＭＡＣ処理部の失敗変数及び強制ウェイクアップ変数をリセットすることができる（Ｓ７３０）。これは、中央処理部が強制ウェイクアップされた状態であるためである。
【００７５】
上記強制ウェイクアップ変数の値がトゥルー（ｔｒｕｅ）に設定されていない場合、上記中央処理部は、ウェイクアップフレームをリードしてから削除し、ＭＡＣ処理部の失敗変数をリセットすることができる（Ｓ７４０）。これは、中央処理部が正常的にウェイクアップされた状態であるためである。
【００７６】
上記のような方式により、本発明の一実施例によるＥＳＬ端末は、低電力の駆動が可能になる。
【００７７】
上述した本発明の実施例による方法は、個別または組み合わされて用いられることができる。また、各実施例を構成する段階は、他の実施例を構成する段階とは個別または組み合わされて用いられることができる。
【００７８】
また、上記説明は、例えば、ソフトウェア、ハードウェアまたはこれらの組み合わせを用いてコンピュータまたはこれを類似した装置で読み込むことができる記録媒体内において具現されることができる。
【００７９】
ハードウェア的な具現によると、上記方法として、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ（ｐｒｏｃｅｓｓｏｒｓ）、制御機（ｃｏｎｔｒｏｌｌｅｒｓ）、マイクロコントローラ（ｍｉｃｒｏ−ｃｏｎｔｒｏｌｌｅｒｓ）、マイクロプロセッサ（ｍｉｃｒｏｐｒｏｃｅｓｓｏｒｓ）、その他の機能遂行のための電気的なユニットのうち少なくとも一つを用いて具現されることができる。
【００８０】
ソフトウェア的な具現によると、本明細書において説明される手順及び機能は、別途のソフトウェアモジュールで具現されることができる。上記ソフトウェアモジュールは適切なプログラム言語で書かれたソフトウェアコードで具現されることができる。上記ソフトウェアコードは保存部に保存されることができ、プロセッサによって実行されることができる。
【００８１】
以上、本発明の実施例について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【００８２】
６１０  無線通信部
６２０  ＭＡＣ処理部
６３０  中央処理部
【図１】
0005630677.tif 000002
【図２】
0005630677.tif 000003
【図３】
0005630677.tif 000004
【図４】
0005630677.tif 000005
【図５】
0005630677.tif 000006
【図６】
0005630677.tif 000007
【図７】
0005630677.tif 000008